(57)【要約】【課題】食事後の一時的な胴囲の変化や肥満によって、圧迫され窮屈になった胴囲に対して不快感をなくし、容易にウエスト調節することを可能にするウエスト延長具を提供すること。【解決手段】衣服の胴囲固定釦、または、鉤ホック噛込金具を固定するための係合孔を設け、衣服の釦ホールに係合するための釦をウエスト延長具本体正面に配置するとともに、衣服の鉤ホック受金具に係合するための鉤ホック噛込金具をウエスト延長具本体背面に設けたことを特徴とするウエスト延長具。【選択図】図１
2005192837.tif 000002
【特許請求の範囲】
【請求項１】
ウエストサイズを調節するためのウエスト延長具本体に、衣服の胴囲固定用の釦、または、鉤ホック噛込金具を固定するための係合孔を設け、衣服の釦ホールに係合するための釦をウエスト延長具本体正面に配置するとともに、衣服の鉤ホック受金具に係合するための鉤ホック噛込金具をウエスト延長具本体背面に設けたことを特徴とするウエスト延長具。
【発明の詳細な説明】
【技術分野】
【０００１】
本発明は、スカート、ズボンなど衣服の胴囲係合部における釦係合型衣服、または、鉤ホック係合型衣服のいずれにも適用でき、容易にウエストサイズを適宜延長させるためのウエスト延長具に関するものである。
【背景技術】
【０００２】
通常、衣服は購入時の体型に合わせてサイズを決定するが、肥満や食事後の一時的な胴囲の変化、礼服など常に買い替えを要しない衣服の着用時、児童の成長による胴囲の変化などで、ウエストサイズが大きくなり腹部が圧迫され不快感を生じていた。このような場合一時的に胴囲係合部の胴囲固定用の釦、または、鉤ホック噛込金具を外し開放するか、あるいは衣服を仕立て直してウエストサイズを調節していた。
【０００３】
この改善策として従来の知られているウエスト調整具には、所定の長さを持った帯状の金属板に鉤ホックと複数の孔を一体に形成し胴囲係合部に使用するものがある。（特許文献１参照。）また、ゴム紐を複数本束ねた一端に釦に係合する孔を施し他端に衣服側の釦ホールに係合する釦を取り付けウエストサイズの調節をするものがある。（特許文献２参照。）
【特許文献１】特開平１１−７５９１３号公報（第４項、図２）
【特許文献２】特開２０００−１７００２０号公報（第４項、図８）
【発明の開示】
【発明が解決しようとする課題】
【０００４】
食事後の一時的な胴囲の変化や肥満によって圧迫され窮屈になった腹部の不快感をなくすため、胴囲係合部の胴囲係合用の釦、または、鉤ホック噛込金具を外し開放して着用するとファスナー開口部材がずり落ち、下着などが露出し外観が見苦しくなる。衣服を仕立て直すと手間を要し、再び元の体型に戻ると再度仕立て直しが必要となり、二度手間を要するとともに度々衣服を買い替えし、余計な支出を生み出す要因となる。特許文献１のウエスト調整具は鉤ホック係合型衣服に対する手段であり、特許文献２のウエスト調整具は釦係合型衣服に対する手段であるため、予めどちらかを選択して携帯する必要があった。本発明の目的は、鉤ホック係合型衣服と釦係合型衣服の両方に使用できるものを開発し、提供することである。
【課題を解決するための手段】
【０００５】
本発明は、ウエストサイズを調節するためのウエスト延長具本体に、衣服の胴囲固定用の釦、または、鉤ホック噛込金具を固定するための係合孔を設け、衣服の釦ホールに係合するための釦をウエスト延長具本体正面に配置するとともに、衣服の鉤ホック受金具に係合するための鉤ホック噛込金具をウエスト延長具本体背面に設けたことを特徴とする。
【０００６】
本発明は上記の如き観点に鑑みてなされたものであって、スカート、ズボンなどの鉤ホック係合型衣服と釦係合型衣服の両方に使用できるよう簡便性且つ汎用性を備えたウエスト延長具を提供することを目的とする。
【発明の効果】
【０００７】
本発明のウエスト延長具を利用することによりウエストサイズを延長し、食事後の一時的な胴囲の変化や肥満などによって圧迫され窮屈になった腹部に対して敏速な調節が可能となり、ゆったりとした着用感が得られ、ファスナー開口部材のずり落ちを防止し外観を良好に保つとともに活動しやすい。そして何より衣服を買い替える必要が無くなる。本発明のウエスト延長具は表と裏を使い分けることで、釦係合型衣服、または、鉤ホック係合型衣服のどちらのタイプにも対応できるため、携帯時において軽量であり収納しやすく年齢性別に関係無く使用することができる。
【発明を実施するための最良の形態】
【０００８】
本発明を実施するための最良の形態を具体的に図面を参照しながら実施の一例に基づき以下のとおり説明する。
【実施例】
【０００９】
図１は本発明の実施の一例を示した斜視図であって、厚さ１ミリの真鍮板を横５０ミリ、縦１５ミリに切断し、横辺の端より５ミリの位置から、横１８ミリ、縦１１ｍｍの長方形の係合孔２を縦１５ミリの中央に設ける。
【００１０】
図２は本発明の実施の一例を示した正面図であって、ウエスト延長具本体１の正面で係合孔２の中心から長手方向横に１１．５ミリの位置に、衣服の釦の標準的なサイズである直径１５ミリの釦を、直径３ミリ、高さ５ミリの円柱でウエスト延長具本体１と溶接し釦３を設ける。
【００１１】
図３は本発明の実施の一例を示した背面図であって、ウエスト延長具本体１の横辺の端より３１ミリから３５ミリにかけて中央に向け４５度に切り込みを入れ、横辺の端から３５ミリから５０ミリの部分は縦幅７ミリで切断する。縦幅７ミリ、残りの横辺１５ミリに切断した部分は、ウエスト延長具本体１の背面に対して２ミリ幅を保つように折り曲げ鉤ホック噛込金具４を形成する。
【００１２】
ウエスト延長具本体１、釦３、鉤ホック噛込金具４各々の外枠と、係合孔２の内枠の切断面はすべて研磨し角に面取加工を施す。
【００１３】
図５、図６は、ズボンなどに多く取付けられている釦係合型衣服の着用時における使用状態を表す。係合孔２に衣服の釦５を係止し釦３を衣服の釦ホール６に係止することでウエストを延長する。
【００１４】
図７、図８は、スカートなどに多く取付けられている鉤ホック係合型衣服の着用時における使用状態を表す。係合孔２に衣服の鉤ホック噛込金具８を係止し鉤ホック噛込金具４を衣服の鉤ホック受金具７に係止することでウエストを延長する。
【００１５】
強度が維持できる材質や厚みであり、ズボンやスカートなどの胴囲係合部に合う寸法であれば、実施の一例に示したとおりの材質、厚み、寸法に限定するものではない。
【００１６】
係合孔２の形状は、ズボンやスカートなどの胴囲係合部に係止できる形状であれば、実施の一例に示したとおりの長方形に限定するものではない。
【産業上の利用可能性】
【００１７】
本発明のウエスト延長具は両面使用でき且つ軽量であることから小物入れや財布に収納できる。ウエスト延長具本体の断面を研磨し、角の面取加工を施すことで装着時や収納時の怪我を防止する。また単にウエストサイズを延長するだけに限らず、胴囲係合部の装飾具としても利用できる。
【図面の簡単な説明】
【００１８】
【図１】本発明の実施の一例を示した斜視図。
【図２】本発明の実施の一例を示した正面図。
【図３】本発明の実施の一例を示した背面図。
【図４】本発明の実施の一例を示した断面図。
【図５】本発明を釦係合型開口部に使用した状態を示す図。
【図６】図５の断面図。
【図７】本発明を鉤ホック係合型開口部に使用した状態を示す図。
【図８】図７の断面図。
【符号の説明】
【００１９】
１  ウエスト延長具本体
２  係合孔
３  釦
４  鉤ホック噛込金具
５  衣服の釦
６  衣服の釦ホール
７  衣服の鉤ホック受金具
８  衣服の鉤ホック噛込金具
【図１】
2005192837.tif 000003
【図２】
2005192837.tif 000004
【図３】
2005192837.tif 000005
【図４】
2005192837.tif 000006
【図５】
2005192837.tif 000007
【図６】
2005192837.tif 000008
【図７】
2005192837.tif 000009
【図８】
2005192837.tif 000010